(57)【要約】      （修正有）【課題】魔法瓶構造であって、容量を拡張できる上下二重キャップ容器構造を提供する。【解決手段】上下二重キャップ容器構造は、雄ねじ付きの容器本体１と、２つのキャップ２、３とを有する。容器本体内は収容スペース１１を有し、収容スペースの両端には、貫通型の第１開口部と第２開口部１４が設けられている。２つのキャップは、第１キャップ２および第２キャップ３に分けることができる。第１キャップおよび第２キャップは、それぞれ、雄ねじでねじ込まれる第１雌ねじおよび第２雌ねじ２１を備えている。第１キャップの長さは第２キャップの長さより長く、それぞれ第１開口部と第２開口部をキャップしている。それにより、使用中において、第１キャップは、雄ねじに沿って第１開口部から第２開口部に向かって離れる方向に回転するので、収容スペースは、第１キャップと第１開口部との間の容量を増加させることができる。【選択図】図１
0003231932.tif 000002
【実用新案登録請求の範囲】
【請求項１】
上下二重キャップ容器構造であって、容器本体と、２つのキャップとを含み、
前記容器本体は、内部に収容スペースを備え、前記容器本体の両端には、前記収容スペースを貫通する第１開口部と第２開口部が設けられ、前記容器本体１の外周には、雄ねじが設けられ、前記雄ねじは一端の前記第１開口部から他端の前記第２開口部まで延びており、
前記２つのキャップは第１キャップと第２キャップに分けられ、前記第１キャップには第１雌ねじが設けられ、前記第２キャップには第２雌ねじが設けられ、前記第１雌ねじと前記第２雌ねじはそれぞれ前記雄ねじとねじ込まれているため、前記第１キャップは前記第１開口部の位置にねじ込まれ、前記第２キャップは前記第２開口部にねじ込まれ、前記第１キャップの長さは前記第２キャップの長さより長く、前記第１キャップは、前記雄ねじに沿って前記第１開口部から前記第２開口部に向かって離れる方向に回転するので、前記収容スペースは、前記第１キャップと前記第１開口部との間の容量を増加させることを特徴とする、上下二重キャップ容器構造。
【請求項２】
前記第１開口部を密封するために、第１ガスケットが前記第１キャップの内側に配置されることを特徴とする、請求項１に記載上下二重キャップ容器構造。
【請求項３】
前記第１ガスケットの中心に第１突起が設けられていることを特徴とする、請求項２に記載の上下二重キャップ容器構造。
【請求項４】
前記第２開口部を密封するために、第２ガスケットが前記第２キャップの内側に配置されることを特徴とする、請求項１に記載上下二重キャップ容器構造。
【請求項５】
前記第２ガスケットの中心に第２突起が設けられていることを特徴とする、請求項４に記載の上下二重キャップ容器構造。
【請求項６】
前記第１キャップの前記第１雌ねじおよび前記第２キャップの前記第２雌ねじは、シリコーン材料でできていることを特徴とする、請求項１に記載の上下二重キャップ容器構造。
【請求項７】
前記収容スペースは、滑らかで真っ直ぐな内壁面を備えていることを特徴とする請求項１に記載の上下二重キャップ容器構造。
【考案の詳細な説明】
【技術分野】
【０００１】
本考案は、魔法瓶構造、特に上部および下部の二重キャップを備え、容量を拡張することができる瓶構造である。
【背景技術】
【０００２】
容器本体およびキャップを含む、多様性携帯型冷熱保温容器を開示している台湾実用新案第Ｍ５４９５７７号を参照されたい。ピボット接続部材は、容器本体とピボット接続部材との間に第１収容スペースが形成される容器本体上に配置されている。キャップは、ピボット接続部材に配置され、その結果、キャップとピボット接続部材との間に第２収容スペースが形成される。ピボット接続部材は、相対的に旋回することができる上部ピボット部材および下部ピボット部材をさらに含む。第１収容スペースと第２収容スペースは、上部ピボット部材と下部ピボット部材との相対的な旋回によって接続または隔離されており、異なる種類の飲料を同時に容器に入れることができる。
【０００３】
一種のインターロッキング保温カップを開示している台湾実用新案第Ｍ５３９８７８号を参照されたい。主にねじ込みによる複数のユニットカップの分解および組み立てにより、ユニットカップとユニットカップは取り外して別々に使用でき、またはねじ込み式で積み重ねて使用することもできるので、必要に応じて全体の容量を調整でき、ねじ込み時にさまざまな種類の飲料を分けることもできる。
【考案の概要】
【考案が解決しようとする課題】
【０００４】
しかしながら、上記の先行技術は、容器の容量を増加させ、異なる種類の飲料を分配することができるが、使用後に容器を掃除したい場合、本体が長くて狭いため、底部に死角があり、完全な掃除が困難である。また、容量を拡大する場合は、複数のユニットカップを別々に組み立てる必要があり、使用や持ち運びに非常に手間がかかる。
【課題を解決するための手段】
【０００５】
既存の容器構造の問題を解決するために、本考案は、容器本体と、２つのキャップとを有する、上部および下部の二重キャップ容器構造を提供する。容器本体は、内部に収容スペースを設け、容器本体の両端には、収容スペースに貫通する第１開口部と第２開口部を設け、容器本体の外周には雄ねじを設け、雄ねじは一端の第１開口部からもう一端の第２開口部まで伸びている。２つのキャップは第１キャップと第２キャップに分けられ、第１キャップには第１雌ねじが設けられ、第２キャップには第２雌ねじが設けられている。第１雌ねじと第２雌ねじはそれぞれ雄ねじとねじ込まれているため、第１キャップは第１開口部の位置にねじ込まれ、第２キャップは第２開口部にねじ込まれる。第１キャップの長さは第２キャップの長さより長く、第１キャップは、雄ねじに沿って第１開口部から第２開口部に向かって離れる方向に回転するので、収容スペースは、第１キャップと第１開口部との間の容量を増加させる。
【０００６】
第１開口部をシールするために、第１ガスケットが第１キャップの内側に配置される。
【０００７】
第１ガスケットの中心に第１突起が設けられている。
【０００８】
第２開口部をシールするために、第２ガスケットが第２キャップの内側に配置される。
【０００９】
第２ガスケットの中心に第２突起が設けられている。
【００１０】
第１キャップの第１雌ねじおよび第２キャップの第２雌ねじは、シリコーンでできている。
【考案の効果】
【００１１】
上記収容スペースは、滑らかで真っ直ぐな内壁面を有する。
【００１２】
上記の技術的特徴によれば、以下の効果を達成することができる。
【００１３】
１．容器本体内部の収容スペースは、表面が滑らかで死角がなく、ユーザーの掃除が容易であるため、容器本体から第１キャップおよび第２キャップを外すことができる。
【００１４】
２．収容される液体の量の違いに応じて、第１キャップは、雄ねじに沿って第１開口部から第２開口部に向かって離れる方向に回転し、収容スペースは、第１キャップと第１開口部との間の容量を増加させ、さまざまな液体量の使用に合わせて、さまざまな容量を任意に拡張するという目的を達成できる。
【００１５】
３．第１キャップおよび第２キャップの雌ねじは、容器内の液体が溢れるのを防ぐことができるシリコーン材料でできている。
【図面の簡単な説明】
【００１６】
【図１】本考案の第１実施形態における分解斜視図である。
【図２】本考案の第１実施形態における組み合わせた斜視図ある。
【図３】本考案の第１実施形態における組み合わせた断面図である。
【図４】より大量の液体を含むように収容スペースを調整する、本考案の第１実施形態の概略図である。
【図５】より少量の液体を含むように収容スペースを調整する、本考案の第１実施形態の概略図である。
【図６】本考案の第２実施形態における分解斜視図である。
【図７】本考案の第２実施形態における組み合わせた断面図である。
【考案を実施するための形態】
【００１７】
図１、図２および図３を参照されたい。本考案の第１実施形態は、容器本体１および２つのキャップを含む。
【００１８】
容器本体１は、内部に収容スペース１１を備え、収容スペース１１は、滑らかで真っ直ぐな内壁面１２を有し、収容スペース１１は、液体を収容することができる。また、容器本体１の両端には、収容スペース１１を貫通する第１開口部１３と第２開口部１４が設けられ、容器本体１の外周には、一端の第１開口部１３から他端の第２開口部１４まで延びる雄ねじ１５が設けられている。
【００１９】
２つのキャップは、第１キャップ２および第２キャップ３に分けることができる。第１キャップ２の長さは、第２キャップ３の長さよりも長い。第１キャップ２には、第１雌ねじ２１が内側に設けられており、第１雌ねじ２１は、雄ねじ１５の一端に応じてねじ込まれている。第２キャップ３には第２雌ねじ３１が設けられ、第２の雌ねじ３１は、雄ねじ１５のもう一方の端部に対応してねじ込まれ、第１のキャップ２および第２のキャップ３は、それぞれ、容器本体１両端の第１開口部１３および第２開口部１４を覆うことができる。第１キャップ２の内側に、第１ガスケット２２が設けられ、第１開口部１３を密封して、収容スペース１１に含まれる液体が溢れるのを防ぐためである。第１の突起２３は、第１ガスケット２２の中心に設けられ、第１突起２３の保持を容易にし、第１ガスケット２２を第１キャップ２から取り出すことができる。さらに、第２ガスケット３２が第２キャップ３の内側に設けられて、第２開口部１４を密閉して、収容スペース１１に含まれる液体が溢れるのを防ぐ。第２突起３３は、第２突起３３の保持を容易にするために、第２ガスケット３２の中心に設けられ、第２ガスケット３２は、第２キャップ３から取り出すことができる。
【００２０】
使用時には、図１および図３に示すように、第１キャップ２は、雄ねじ１５が第１開口部１３から第２開口部１４に向かって離れる方向に沿って回転するので、収容スペース１１は、第１キャップ２と第１開口部１３との間の容量を増加させる。図４に示すように、収容スペース１１に含まれる液体Ｂの量が多い場合、第１キャップ２は、雄ねじ１５が第１開口部１３から第２開口部１４に向かって離れる方向に沿ってより長い距離に回転、移動することができるので、収容スペース１１は、第１キャップ２と第１開口部１３との間の容量を大幅に増加させることができる。図５に示すように、収容スペース１１に含まれる液体Ｂの量が少ない場合、第１キャップ２は、雄ねじ１５に沿って第１開口部１３から第２開口部１４に向かって離れる方向により短い距離に回転、移動することができるので、収容スペース１１は、第１キャップ２と第１開口部１３との間の容量をわずかに増加させることができる。したがって、異なる量の液体Ｂに合わせて、収容スペース１１を異なる容量に調整することができる。
【００２１】
図１および図３に示すように、第１キャップ２および第２キャップ３は、それぞれ第１ガスケット２２および第２ガスケット３２が設けられているいるので、収容スペース１１に含まれる液体の漏れを防止する優れたシール性を有することができる。さらに、第１キャップ２および第２キャップ３は、容器本体１に取り外し可能に設けられている。ユーザーが容器本体１の内部を掃除したい場合、第１キャップ２および第２キャップ３を回転させてそれらを容器本体１から取り外し、次に両側の第１開口部１３または第２開口部１４から容器本体１を掃除する。容器本体１の収容スペース１１は、滑らかで真っ直ぐな内壁面１２を有しており、掃除時に死角が全くない。これにより、上部にシングルトップキャップまたはダブルトップキャップを使用する従来の容器構造を改善できるが、容器本体が長くて狭いため、容器の底部を掃除するのは簡単ではない。容器本体１の底部に第１キャップ２を、容器本体１の上部に第２キャップ３を設けることにより、ユーザーの利便性を大幅に向上させ、また、シングルキャップの容器は本体が細長く、底部に死角があり、掃除が難しいという欠点もある。
【００２２】
図６および図７を参照されたい。本考案の第２実施形態は、容器本体１Ａおよび２つのキャップを含む。。
【００２３】
容器本体１Ａは、内部に収容スペース１１Ａを備え、収容スペース１１Ａは、滑らかで真っ直ぐな内壁面１２Ａを有し、また、容器本体１Ａの両端には、収容スペース１１Ａを貫通する第１開口部１３Ａと第２開口部１４Ａが設けられ、容器本体１Ａの外周には、一端の第１開口部１３Ａから他端の第２開口部１４Ａまで延びる雄ねじ１５Ａが設けられている。。
【００２４】
２つのキャップは、第１キャップ２Ａおよび第２キャップ３Ａに分けることができる。第１キャップ２Ａの長さは、第２キャップ３Ａの長さよりも長い。第１キャップ２Ａには、第１雌ねじ２１Ａが内側に設けられており、第２キャップ３Ａには第２雌ねじ３１Ａが設けられ、第１キャップ２Ａおよび第２キャップ３Ａは、それぞれ、容器本体１両端の第１開口部１３Ａおよび第２開口部１４Ａを覆うことができる。第１キャップ２Ａの内側に、第１ガスケット２２Ａが設けられ、第１突起２３Ａは、第１ガスケット２２Ａの中心に設けられる。さらに、第２ガスケット３２Ａが第２キャップ３Ａの内側に設けられて、第２突起３３Ａは、第２ガスケット３２Ａの中心に設けられている。さらに、第１キャップ２Ａの第１雌ねじ２１Ａおよび第２キャップ３Ａの第２雌ねじ３１Ａは、シリコーン材料またはゴム材料などのシール材料で作ることもできる。また、第１ガスケット２２Ａおよび第２ガスケット３２Ａの漏れ防止機能と連携してシール性能を高め、収容スペース１１Ａ内の液体の漏れを防止する。
【００２５】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００２６】
１      容器本体
１１    収容スペース
１２    内壁面
１３    第１開口部
１４    第２開口部
１５    雄ねじ
２      第１キャップ
２１    第１雌ねじ
２２    第１ガスケット
２３    第１突起
３      第２キャップ
３１    第２雌ねじ
３２    第２ガスケット
３３    第２突起
１Ａ    容器本体
１１Ａ  収容スペース
１２Ａ  内壁面
１３Ａ  第１開口部
１４Ａ  第２開口部
１５Ａ  雄ねじ
２Ａ    第１キャップ
２１Ａ  第１雌ねじ
２２Ａ  第１ガスケット
２３Ａ  第１突起
３Ａ    第２キャップ
３１Ａ  第２雌ねじ
３２Ａ  第２ガスケット
３３Ａ  第２突起
Ｂ      液量
【図１】
0003231932.tif 000003
【図２】
0003231932.tif 000004
【図３】
0003231932.tif 000005
【図４】
0003231932.tif 000006
【図５】
0003231932.tif 000007
【図６】
0003231932.tif 000008
【図７】
0003231932.tif 000009